(57)【要約】【課題】労力を軽減でき、作業の安全性も高くできる枠バンド取付装置及び方法を提供すること。【解決手段】枠バンド取付装置５０が、釣合錘１０の上枠２２に取り付けられて、紐状部材４１を巻き付けるドラムと、ドラムを回動させる回動部とを有する巻上げ機５１と、紐状部材４１の一端部に輪状部材５５を介して接続されるバンド吊下用紐状部材５２と、バンド吊下用紐状部材５２の一端部に配設されると共に、枠バンド７において釣合錘１０のＹ方向一方側に位置する一方側部分が係止される一方側フック５３と、バンド吊下用紐状部材５２の他端部に配設されると共に、枠バンド７において釣合錘１０のＹ方向他方側に位置する他方側部分が係止される他方側フック５４と、を備える。【選択図】図１
2018080008.tif 000002
【特許請求の範囲】
【請求項１】
エレベーターの釣合錘に枠バンドを取り付けるのに用いられる枠バンド取付装置であって、
前記エレベーターの取付構造に取り付けられる巻き上げ機であって、紐状部材を巻き付けるドラムと、前記ドラムを回動させる回動部とを有する巻上げ機と、
前記紐状部材の先端部に連結部を介して接続され、先端部が前記釣合錘の幅方向の一方側に配置される第１バンド取付部材と、
前記紐状部材の前記先端部に連結部を介して接続され、先端部が前記幅方向の他方側に配置される第２バンド取付部材と、
前記第１バンド取付部材の前記先端部に配設されると共に、前記枠バンドの前記幅方向の一方側に位置する一方側部分が係止されるバンド一方側係止部と、
前記第２バンド取付部材の前記先端部に配設されると共に、前記枠バンドの前記幅方向の他方側部分が係止されるバンド他方側係止部と、を備える枠バンド取付装置。
【請求項２】
請求項１に記載の枠バンド取付装置において、
前記連結部は、輪状部材であり、
前記紐状部材の前記先端部は、前記輪状部材に取り付けられ、
前記第１バンド取付部材及び前記第２バンド取付部材は、前記輪状部材を通過する一つのバンド吊下用紐状部材で構成され、
前記バンド一方側係止部は、前記バンド吊下用紐状部材の一端部に取り付けられた一方側フックであり、前記バンド他方側係止部は、前記バンド吊下用紐状部材の他端部に取り付けられた他方側フックである、枠バンド取付装置。
【請求項３】
請求項１に記載の枠バンド取付装置において、
前記連結部は、前記紐状部材の前記先端部が中央部付近に取り付けられて前記幅方向に延在する棒状部であり、
前記第１バンド取付部材は、前記棒状部の延在方向の一方側に取り付けられた一方側紐状部材である一方、前記第２バンド取付部材は、前記棒状部の延在方向の他方側に取り付けられた他方側紐状部材であり、
前記バンド一方側係止部は、前記一方側紐状部材の一端部に取り付けられた一方側フックであり、前記バンド他方側係止部は、前記他方側紐状部材の一端部に取り付けられた他方側フックである、枠バンド取付装置。
【請求項４】
請求項３に記載の枠バンド取付装置において、
前記棒状部は、
前記延在方向に延在する本体部と、
前記本体部の前記延在方向の一方側に前記本体部に対して前記延在方向にスライド可能に取り付けられた第１スライド部と、
前記本体部の前記延在方向の他方側に前記本体部に対して前記延在方向にスライド可能に取り付けられた第２スライド部と、を含み、
前記一方側紐状部材が、前記第１スライド部に取り付けられる一方、前記他方側紐状部材が、前記第２スライド部に取り付けられる、枠バンド取付装置。
【請求項５】
矩形状の表側面及び裏側面を有する一方側板、前記一方側板の長手方向の一方側で、前記一方側板と、矩形状の表側面及び裏側面を有する他方側板とを連結する一方側アングル、及び前記一方側板の前記長手方向の他方側で前記一方側板と前記他方側板とを連結する他方側アングルを一体化する枠バンド一部構成ステップと、
請求項１に記載の枠バンド取付装置の前記巻上げ機をエレベーターの取付構造に取り付ける巻上げ機取付ステップと、
前記枠バンド一部構成ステップの後、前記枠バンド取付装置の前記バンド一方側係止部に前記一方側アングルを係止し、前記枠バンド取付装置の前記バンド他方側係止部に前記他方側アングルを係止するアングル係止ステップと、
前記アングル係止ステップの後、前記巻上げ機の前記ドラムを回転させて前記ドラムに前記紐状部材を巻回することによって、前記バンド一方側係止部及び前記バンド他方側係止部を枠バンド取付位置まで上昇させる枠バンド一部上昇ステップと、
前記枠バンド一部上昇ステップの後、前記他方側板を前記一方側アングル及び前記他方側アングルに対して取り付けると共に、前記他方側板を前記釣合錘に取り付ける他方側板取付ステップと、を含む枠バンド取付方法。
【請求項６】
請求項５に記載の枠バンド取付方法において、
前記釣合錘は、錘枠と、その錘枠に積み重ねられた状態で保持される複数の棒状の錘片とを有し、
前記エレベーターの前記取付構造は、前記錘枠の上側箇所である、枠バンド取付方法。
【請求項７】
請求項５又は６に記載の枠バンド取付方法において
鉛直方向上方に行くにしたがって前記一方側板が前記釣合錘から前記釣合錘の奥行方向に離れるように前記一方側板が前記釣合錘に対して傾いている状態で、前記枠バンド一部上昇ステップが行われる、枠バンド取付方法。
【発明の詳細な説明】
【技術分野】
【０００１】
本発明は、エレベーターの釣合錘に枠バンドを取り付けるのに用いられる枠バンド取付装置に関する。また、本発明は、エレベーターの釣合錘に枠バンドを取り付ける枠バンド取付方法に関する。
【背景技術】
【０００２】
従来、エレベーターの釣合錘としては、特許文献１に記載されているものがある。この釣合錘は、錘枠と、複数の棒状の錘片とを含み、錘枠は、一対のたて枠と、上枠と、下枠を有する。一対のたて枠は、釣合錘の幅方向に間隔をあけて配置され、上枠は、一対のたて枠の上端部同士を連結し、下枠は、一対のたて枠の下端部同士を連結する。
【０００３】
複数の棒状の錘片は、釣合錘の高さ方向に積み重ねられた状態で錘枠に保持される。各錘片は、一方のたて枠と他方のたて枠との間を幅方向に延在する。各錘片の一端部は一方のたて枠に保持され、各錘片の他端部は他方のたて枠に保持される。
【０００４】
釣合錘には、枠バンドが取り付けられる。枠バンドは、環状構造を有し、釣合錘の高さ方向の中央部付近に配設される。枠バンドは、一対のたて枠及び錘片を取り囲むようにたて枠に取り付けられる。枠バンドは、釣合錘の幅方向の剛性を高め、釣合錘を幅方向に補強するために設けられる。枠バンドは、地震等でたて枠に衝撃が加わっても、たて枠が幅方向外側に大きく広がらないようにし、錘片が落下することを抑制するために設けられる。
【先行技術文献】
【特許文献】
【０００５】
【特許文献１】特開２０１４−１２５３１１号公報
【発明の概要】
【発明が解決しようとする課題】
【０００６】
上記枠バンドの取り付けには、多大な労力が必要になる。次に、図８〜図１０を用いて、後の実施形態でも説明で使用するバンド付釣合錘１の構造について説明し、その後、本発明の枠バンド取付装置を用いずに釣合錘１０に枠バンド７を取り付ける場合の問題点について説明する。なお、バンド付釣合錘１は、本発明の一実施形態であって従来技術でなく、本願発明の特許性を否定するのに用いられることができないものであるが、説明をわかりやすくするためにここで説明する。また、実施形態での記載も含め以下の説明及び図面で、Ｘ方向は、バンド付釣合錘１の奥行き方向を表し、Ｙ方向は、バンド付釣合錘１の幅方向を表し、Ｚ方向は、バンド付釣合錘１の高さ方向を表す。Ｘ方向、Ｙ方向、及びＺ方向は、互いに直交する。また、本明細書では、枠バンド７が取り付けられた釣合錘をバンド付釣合錘１と表現し、枠バンド７が取り付けられていない釣合錘を釣合錘１０と表現するものとする。
【０００７】
図８は、バンド付釣合錘１を正面からみた時の正面図であり、図９は、バンド付釣合錘１を図８に矢印Ａで示す下方向にからみたときの図である。また、図１０は、釣合錘１０の正面図である。なお、バンド付釣合錘１の構造を分かり易く説明するため、図９では、以下に説明する下枠２３の図示を省略する。
【０００８】
図８に示すように、バンド付釣合錘１は、釣合錘１０と、枠バンド７を備え、釣合錘１０は、錘枠２、複数の棒状の錘片３、綱車４、４つのガイドシュー５、及び２つの外れ止め６を含む。錘枠２は、一対のたて枠２１ａ,２１ｂと、上枠２２と、下枠２３を有する。一対のたて枠２１ａ,２１ｂは、Ｙ方向に間隔をあけて配置され、上枠は２２、一対のたて枠２１ａ,２１ｂの上端部同士を連結し、下枠２３は、一対のたて枠２１ａ,２１ｂの下端部同士を連結する。複数の棒状の錘片３は、Ｚ方向に積み重ねられた状態で錘枠２に保持される。詳しくは、各錘片３は、一方のたて枠２１ａと他方のたて枠２１ｂとの間をＹ方向に延在する。各錘片３の一端部は一方のたて枠２１ａに離脱不可能に保持され、各錘片３の他端部は他方のたて枠２１ｂに離脱不可能に保持される。錘片３の両端部がたて枠２１ａ,２１ｂに対して離脱不可能になる構造については、後で説明する。
【０００９】
綱車４は、上枠２２に回動自在に取り付けられる。例えば、綱車４は、上枠２２の裏側から昇降路奥側（奥側の壁側）にＸ方向に突出する円柱状の軸部（図示せず）に軸受を介して回転自在に取り付けられる。綱車４に巻回されたワイヤーロープ９の張力に基づいて釣合錘１０がＺ方向に昇降する。
【００１０】
ガイドシュー５は、錘枠２の四隅に取り付けられ、外れ止め６は、錘枠２のＺ方向中央付近のＹ方向の両端部に取り付けられる。Ｙ方向一方側に配置されるガイドシュー５は、釣合錘１０のＹ方向一方側に位置してＺ方向に延在する一方側レール８ａに嵌合し、Ｙ方向他方側に配置されるガイドシュー５は、釣合錘１０のＹ方向他方側に位置してＺ方向に延在する他方側レール８ｂに嵌合する。外れ止め６は、Ｚ方向中央部付近で釣合錘１０がレール８ａ,８ｂから外れることを抑制する。ガイドシュー５がレール８ａ,８ｂに案内されることで釣合錘１０がＹ方向に大きく振れずにＺ方向に昇降可能になる。
【００１１】
枠バンド７は、環状構造を有し、釣合錘１０におけるＺ方向の中央部付近に配設される。錘枠２は、一対のたて枠２１ａ,２１ｂ及び錘片３を取り囲むように配設される。図９に示すように、枠バンド７は、表側板７１、裏側板７２、一方側アングルとしての一方側コ字状アングル７３、他方側アングルとしての他方側コ字状アングル７４、一方側挟み金７５、他方側挟み金７６、及び複数のボルト７７を有する。一方側及び他方側コ字状アングル７３,７４は、ＸＹ平面に平行な切断面において略コ字状の形状を有する。一方側コ字状アングル７３は、Ｙ方向外側に開口を向けた状態でＹ方向一方側に配設され、他方側コ字状アングル７４は、Ｙ方向外側に開口を向けた状態でＹ方向他方側に配設される。
【００１２】
表側板７１、裏側板７２、一方側コ字状アングル７３、及び他方側コ字状アングル７４の夫々は、鉄等の金属材料で構成される。表側板７１は、Ｘ方向で釣合錘１０のカゴ側に配設され、裏側板７２は、Ｘ方向でカゴ側とは反対側に配設される。図８に示すように、表側及び裏側板７１,７２の夫々は、表側及び裏側面が略矩形の板材で構成される。図９に示すように、表側板７１と裏側板７２とは、ねじ孔の数を除いて略同一の構造を有する。
【００１３】
表側板７１は、一方側及び他方側コ字状アングル７３,７４の表側側壁部にボルト７７及びナット７８で取り付けられ、一方側コ字状アングル７３と他方側コ字状アングル７４との間をＹ方向に延在する。また、裏側板７２は、一方側及び他方側コ字状アングル７３,７４の裏側側壁部にボルト７７及びナット７８で取り付けられ、一方側コ字状アングル７３と他方側コ字状アングル７４との間をＹ方向に延在する。表側板７１と、裏側板７２とは、Ｘ方向に対向する。一方側及び他方側コ字状アングル７３,７４に対する表側及び裏側板７１,７２の取り付けで、表側板７１、裏側板７２、一方側コ字状アングル７３、及び他方側コ字状アングル７４は、一体化され、環状構造を構成する。
【００１４】
図９に示すように、たて枠２１ａ,２１ｂは、ＸＹ平面に平行な切断面でコ字形状を有し、たて枠２１ａ,２１ｂのコ字の開口はＹ方向の錘片３側に向けられている。錘片３は、Ｙ方向の両側にＹ方向外方に突出する突出部３ａ,３ｂを有し、突出部３ａは、断面コ字状のたて枠２１ａの凹部内に配設され、突出部３ｂは、断面コ字状のたて枠２１ｂの凹部内に配設される。係る構成によって、錘片３が錘枠２から離脱できなくなる。
【００１５】
枠バンド７における表側板７１と裏側板７２の隙間のＸ方向寸法は、たて枠２１ａとたて枠２１ｂの隙間のＸ方向寸法よりも長くなっている。Ｙ方向の一方側において、表側板７１の裏面と、たて枠２１ａの表側側壁部とで一方側挟み金７５を挟持し、Ｙ方向の他方側において、表側板７１の裏面と、たて枠２１ｂの表側側壁部とで他方側挟み金７６を挟持する。表側板７１、一方側挟み金７５、及び他方側挟み金７６には、Ｘ方向に延在する貫通孔であるねじ孔が設けられ、たて枠２１ａ,２１ｂの表側側壁部にも、Ｘ方向に延びるねじ孔が設けられる。ボルト７７を、表側板７１のねじ孔、一方側挟み金７５のねじ孔、及びたて枠２１ａの表側側壁部のねじ孔に締め込み、他のボルト７７を、表側板７１のねじ孔、他方側挟み金７６のねじ孔、及びたて枠２１ｂの表側側壁部のねじ孔に締め込む。係るボルト７７の締め込みにより、枠バンド７が錘枠２に取り付けられる。表側板７１、裏側板７２、一方側コ字状アングル７３、他方側コ字状アングル７４、及び一方及び他方側挟み金７５,７６は、Ｚ方向長さが略一致し、Ｚ方向存在範囲も略一致する。
【００１６】
次に、本発明の枠バンド取付装置を用いない枠バンド７の取り付けの一例と、その問題点について説明する。
【００１７】
枠バンド取付装置を用いない枠バンド７の取り付けでは、先ず、Ｙ方向に隣り合う二人の作業員が、錘枠２及び錘片３の裏側かつ下側のガイドシュー５よりも高い位置に手を回して当該位置で裏側板７２を保持する。その後、各作業員が、Ｙ方向各側に配置される一方及び他方側コ字状アングル７３,７４を裏側板７２にボルト７７で固定する。続いて、一体化された、裏側板７２、及び一方及び他方側コ字状アングル７３,７４を、枠バンド取り付け位置の高さまで移動させた状態で保持し、一方及び他方側コ字状アングル７３,７４に表側板７１をボルトで固定する。続いて、一方及び他方側挟み金７５,７６を、表側板７１と一方及び他方側コ字状アングル７３,７４との間に保持する。その後、表側板７１、及び一方及び他方側挟み金７５,７６を、ボルト７７でたて枠２１ａ,２１ｂに固定すると、釣合錘１０に対する枠バンド７の取り付けが完了する。
【００１８】
係る枠バンド７の取り付けでは、二人の作業員が、鉄板等で構成されて重量物である枠バンド７の各部品を空中に保持した状態で組み立てなければならず、作業員が重労働を強いられ、作業に危険を伴う虞もある。したがって、作業員が、枠バンド７の取り付け作業において、各部品を空中に保持する必要がなくて枠バンドの取付作業の労力を軽減でき、しかも安全に作業できるようになれば大きな意義がある。
【００１９】
そこで、本発明の目的は、労力を軽減でき、作業の安全性も高くできる枠バンド取付装置及び方法を提供することにある。
【課題を解決するための手段】
【００２０】
本発明に係る枠バンド取付装置は、エレベーターの釣合錘に枠バンドを取り付けるのに用いられる枠バンド取付装置であって、前記エレベーターの取付構造に取り付けられる巻き上げ機であって、紐状部材を巻き付けるドラムと、前記ドラムを回動させる回動部とを有する巻上げ機と、前記紐状部材の先端部に連結部を介して接続され、先端部が前記釣合錘の幅方向の一方側に配置される第１バンド取付部材と、前記紐状部材の前記先端部に連結部を介して接続され、先端部が前記幅方向の他方側に配置される第２バンド取付部材と、前記第１バンド取付部材の前記先端部に配設されると共に、前記枠バンドの前記幅方向の一方側に位置する一方側部分が係止されるバンド一方側係止部と、前記第２バンド取付部材の前記先端部に配設されると共に、前記枠バンドの前記幅方向の他方側部分が係止されるバンド他方側係止部と、を備える。
【００２１】
本発明によれば、巻上げ機をエレベーターの取付構造に取り付け、かつ、枠バンドの幅方向の一方側部分をバンド一方側係止部に係止すると共に、枠バンドの幅方向の他方側部分をバンド他方側係止部に係止した上で、巻上げ機で紐状部材を引き上げるだけで、枠バンドにおいて釣合錘の厚さ方向の一方側に位置する一方側部分を枠バンド取付高さまで引き上げることができる。そして、枠バンド取付装置で当該一方側部分が沸くバンド取付高さに保持されている状態で枠バンドにおいて釣合錘の厚さ方向の他方側に位置する他方側部分を当該一方側部分及び釣合錘に取り付けできる。したがって、作業員が、重量物である枠バンドの一方側部分及び他方側部分の両方を空中に保持した状態で枠バンドを組み立てる必要がないので、作業員が重労働を強いられることがなく、枠バンドの取り付け作業も安全に行うことができる。
【００２２】
また、本発明において、前記連結部は、輪状部材であり、前記紐状部材の前記先端部は、前記輪状部材に取り付けられ、前記第１バンド取付部材及び前記第２バンド取付部材は、前記輪状部材を通過する一つのバンド吊下用紐状部材で構成され、前記バンド一方側係止部は、前記バンド吊下用紐状部材の一端部に取り付けられた一方側フックであり、前記バンド他方側係止部は、前記バンド吊下用紐状部材の他端部に取り付けられた他方側フックであってもよい。
【００２３】
上記構成によれば、枠バンド取付装置を、簡単安価に構成できる。また、巻上げ機以外の構造が簡易でコンパクトになるので、枠バンド取付装置の運搬も場所を取らずに容易に行うことができる。
【００２４】
また、本発明において、前記連結部は、前記紐状部材の前記先端部が中央部付近に取り付けられて前記幅方向に延在する棒状部であり、前記第１バンド取付部材は、前記棒状部の延在方向の一方側に取り付けられた一方側紐状部材である一方、前記第２バンド取付部材は、前記棒状部の延在方向の他方側に取り付けられた他方側紐状部材であり、前記バンド一方側係止部は、前記一方側紐状部材の一端部に取り付けられた一方側フックであり、前記バンド他方側係止部は、前記他方側紐状部材の一端部に取り付けられた他方側フックであってもよい。
【００２５】
なお、紐状部材の先端部は、棒状部の中央部付近に直接取り付けられてもよく、棒状部の中央部付近に他の部材や部位を介して間接的に取り付けられてもよい。
【００２６】
上記構成によれば、一方及び他方側紐状部材を棒部材によって釣合錘の幅方向に離間させることができ、一方及び他方側紐状部材を鉛直方向に対する傾斜が小さい状態で鉛直方向下方側に延在させることができる。よって、枠バンドにおいて釣合錘の厚さ方向の一方側に位置する一方側部分を安定な状態で吊り上げることができる。
【００２７】
また、前記棒状部は、前記延在方向に延在する本体部と、前記本体部の前記延在方向の一方側に前記本体部に対して前記延在方向にスライド可能に取り付けられた第１スライド部と、前記本体部の前記延在方向の他方側に前記本体部に対して前記延在方向にスライド可能に取り付けられた第２スライド部と、を含み、前記一方側紐状部材が、前記第１スライド部に取り付けられる一方、前記他方側紐状部材が、前記第２スライド部に取り付けられてもよい。
【００２８】
上記構成によれば、棒部材の本体部に対する一方及び他方側紐状部材の延在方向の取り付け位置を適宜変動させることができる。よって、枠バンド取付装置を広範なサイズの釣合錘に適用でき、枠バンド取付装置の汎用性を大きくできる。
【００２９】
また、本発明の枠バンド取付方法は、矩形状の表側面及び裏側面を有する一方側板、前記一方側板の長手方向の一方側で、前記一方側板と、矩形状の表側面及び裏側面を有する他方側板とを連結する一方側アングル、及び前記一方側板の前記長手方向の他方側で前記一方側板と前記他方側板とを連結する他方側アングルを一体化する枠バンド一部構成ステップと、本発明の枠バンド取付装置の前記巻上げ機をエレベーターの取付構造に取り付ける巻上げ機取付ステップと、前記枠バンド一部構成ステップの後、前記枠バンド取付装置の前記バンド一方側係止部に前記一方側アングルを係止し、前記枠バンド取付装置の前記バンド他方側係止部に前記他方側アングルを係止するアングル係止ステップと、前記アングル係止ステップの後、前記巻上げ機の前記ドラムを回転させて前記ドラムに前記紐状部材を巻回することによって、前記バンド一方側係止部及び前記バンド他方側係止部を枠バンド取付位置まで上昇させる枠バンド一部上昇ステップと、前記枠バンド一部上昇ステップの後、前記他方側板を前記一方側アングル及び前記他方側アングルに対して取り付けると共に、前記他方側板を前記釣合錘に取り付ける他方側板取付ステップと、を含む。
【００３０】
本発明によれば、釣合錘に枠バンドを取り付ける際の労力を軽減でき、作業の安全性も高くできる。
【００３１】
また、本発明において、前記釣合錘は、錘枠と、その錘枠に積み重ねられた状態で保持される複数の棒状の錘片とを有し、前記エレベーターの前記取付構造は、前記錘枠の上側箇所であってもよい。
【００３２】
上記構成によれば、枠バンド取付装置を容易に取付構造に取り付けできる。
【００３３】
また、本発明において、鉛直方向上方に行くにしたがって前記一方側板が前記釣合錘から前記釣合錘の奥行方向に離れるように前記一方側板が前記釣合錘に対して傾いている状態で、前記枠バンド一部上昇ステップが行われてもよい。
【００３４】
上記構成によれば、枠バンド一部上昇ステップが行われている最中に一方側板が錘片に引っ掛かることがなく、枠バンド一部上昇ステップを円滑に行うことができる。
【発明の効果】
【００３５】
本発明に係る枠バンド取付装置及び方法によれば、釣合錘に枠バンドを取り付ける際の労力を軽減でき、作業の安全性も高くできる。
【図面の簡単な説明】
【００３６】
【図１】本発明の一実施形態に係る枠バンド取付装置を用いて枠バンドを釣合錘に取り付けている最中の状態を示す図である。
【図２】上記枠バンド取付装置で吊り上げられる枠バンドの一部構成を表す平面図である。
【図３】上記枠バンド取付装置を用いて枠バンドを釣合錘に取り付けている最中の状態を示す図である。
【図４】吊り上げられている枠バンドの一部構成を図３に矢印Ｂで示す方向からみたときの図である。
【図５】上記枠バンド取付装置を用いて枠バンドを釣合錘に取り付けている最中の状態を示す図である。
【図６】釣合錘に対する枠バンドの取り付けが完了した後のバンド付釣合錘を表す正面図である。
【図７】変形例の枠バンド取付装置の正面図である。
【図８】バンド付釣合錘を正面からみた時の正面図である。
【図９】バンド付釣合錘を図８に矢印Ａで示す下方向にからみたときの図である。
【図１０】釣合錘の正面図である。
【発明を実施するための形態】
【００３７】
以下に、本発明に係る実施の形態について添付図面を参照しながら詳細に説明する。以下において複数の実施形態や変形例などが含まれる場合、それらの特徴部分を適宜に組み合わせて新たな実施形態を構築することは当初から想定されている。
【００３８】
図１、図３、及び図５は、本発明の一実施形態に係る枠バンド取付装置５０を用いて枠バンド７を釣合錘１０に取り付けている最中の状態を示す図である。また、図２は、枠バンド取付装置５０で吊り上げられる枠バンド７の一部構成を表す平面図であり、図４は、吊り上げられている枠バンド７の一部を図３に矢印Ｂで示す方向からみたときの図である。また、図６は、釣合錘１０に対する枠バンド７の取り付けが完了した後のバンド付釣合錘１を表す正面図である。なお、図４においては、ボルト７７及びナット７８の図示は、省略している。また、図４においては、レール８ｂは、ガイドシュー５ｂを案内する部分だけが図示されている。
【００３９】
以下、図１〜図６を用いて枠バンド取付装置５０の構造及び枠バンド取付装置５０を用いた枠バンド取付方法について説明する。なお、本実施形態で説明に使用するバンド付釣合錘１は、図８を用いて説明したものと同一であり、釣合錘１０は、図１０に示すものと同一である。バンド付釣合錘１及び釣合錘１０の構造の説明は、上述の説明をもって省略する。
【００４０】
図１に示すように、枠バンド取付装置５０は、巻上げ機５１、連結部の一例としての金属製の輪状部材５５、バンド吊下用紐状部材５２、バンド一方側係止部としての一方側フック５３、及びバンド他方側係止部としての他方側フック５４を備える。巻上げ機５１は、公知のウインチで構成される。詳述しないが、巻上げ機５１は、回動部（図示せず）の回転力を歯車機構などで適宜減速してドラムに伝え、回転するドラム（図示せず）で紐状部材４１、例えば、繊維で構成される紐やワイヤーロープ等を巻き取って、紐状部材４１に張力を付与する。回動部は、例えば、回転ハンドルや原動機で構成される。巻上げ機５１には、取付構造としての釣合錘１０の上枠２２に取り付けられる取付部４２が設けられる。取付部４２は、回動部を収容するケース４３からＹ方向両側に延在する幅方向延在部４４ａ,４４ｂと、幅方向延在部４４ａ,４４ｂの先端部からＺ方向に延在する高さ方向延在部４５ａ,４５ｂとを有する。各高さ方向延在部４５ａ,４５ｂの先端側には、フック４６ａ,４６ｂが設けられる。フック４６ａ,４６ｂを、上枠２２のＹ方向両側に係止することによって巻上げ機５１が上枠２２に取り付けられる。回動部が原動機で構成される場合、巻上げ機５１は、リモコンでドラムの回転量を調整できるようになっていると好ましく、紐状部材４１のドラム収容長さをリモコンで調整できると好ましい。
【００４１】
なお、この例では、巻上げ機５１が釣合錘１０の上枠２２に取り付けられ、上枠２２が、エレベーターの取付構造を構成するが、巻上げ機が取り付けられる取付構造は、昇降路に設置されたアングル等であってもよく、エレベーターにおいて巻上げ機を取り付けできる構造であれば如何なる構造であってもよい。また、１以上のフックが、鎖等を介して回動部を収容するケースに接続されてもよく、巻上げ機の取付部は、一つのみのフックを含んでもよい。また、巻上げ機の取付部が磁石を含んで巻上げ機が磁石で取付構造に取り付けられてもよく、巻上げ機の取付部が紐状部材を含んで紐状部材を取付構造にくくり付ける構成でもよい。
【００４２】
輪状部材５５には、巻上げ機５１にドラムに巻回される紐状部材４１の一端部が取り付けられる。また、バンド吊下用紐状部材５２は、例えば、ワイヤーロープや、繊維で構成されたロープ等で構成され、輪状部材５５を通過する。また、一方及び他方側フック５３,５４は、ワッカ状の係止部を有する。バンド吊下用紐状部材５２の一端部は、一方側フック５３のワッカ状の係止部にくくり付けられ、バンド吊下用紐状部材５２の他端部は、他方側フック５４のワッカ状の係止部にくくり付けられる。輪状部材５５を通過するバンド吊下用紐状部材５２は、第１バンド取付部材及び第２バンド取付部材を構成する。なお、図１で示す例では、バンド一方側係止部を一方側フック５３で構成し、バンド他方側係止部を他方側フック５４で構成した。しかし、バンド一方側係止部及びバンド一方側係止部のうちの少なくとも一方を、磁石や、繊維で構成される紐状部材で構成してもよい。
【００４３】
次に、枠バンド取付装置５０を用いた釣合錘１０への枠バンド７の取り付けについて説明する。
【００４４】
先ず、枠バンド一部構成ステップ、ガイドシュー取り外しステップ、及び巻上げ機取付ステップを行う。詳しくは、図２を参照して、一方側コ字状アングル７３の凹部９０に一方側レール８ａ（図１参照）が収容されている状態で、矩形状の表側面及び裏側面を有する一方側板の一例としての裏側板７２のＹ方向一方側に一方側コ字状アングル７３をボルト７７及びナット７８で固定する。また、他方側コ字状アングル７４の凹部９１に他方側レール８ｂ（図１参照）が収容されている状態で、裏側板７２のＹ方向他方側に他方側コ字状アングル７４をボルト７７及びナット７８で固定する。このようにして、裏側板７２、一方側コ字状アングル７３、及び他方側コ字状アングル７４を一体化する。
【００４５】
また、図１に示すように、釣合錘１０の下側で釣合錘１０を一対の一方及び他方側レール８ａ,８ｂに案内させている２つのガイドシュー５ａ,５ｂを釣合錘１０から外す。この取り外しは、図示しないボルト及びナットの取り外しにより実行できる。
【００４６】
また、枠バンド取付装置５０の巻上げ機５１における取付部４２のフック４６ａ,４６ｂを上枠２２に係止させ、枠バンド取付装置５０を上枠２２に取り付ける。枠バンド一部構成ステップ、ガイドシュー取り外しステップ、及び巻上げ機取付ステップは、いずれのステップを他のステップよりも先に行ってもよく、２以上のステップが、同時に実行される期間が存在してもよい。なお、ガイドシュー取り外しステップは、以下で説明する枠バンド一部上昇ステップにおいて一方及び他方側コ字状アングル７３,７４の上端がガイドシュー５ａ,５ｂの下端に到達するまでに実行されればよい。
【００４７】
続いて、アングル係止ステップを行う。アングル係止ステップでは、枠バンド取付装置５０の一方側フック５３を一方側コ字状アングル７３の表側側壁部７３ａ（図２参照）に係止させ、他方側フック５４を他方側コ字状アングル７４の表側側壁部７４ａに係止させる。
【００４８】
その後、枠バンド一部上昇ステップを行う。枠バンド一部上昇ステップでは、巻上げ機５１のドラムを回転させてドラムに紐状部材４１を所定長さ巻回することによって、一方及び他方側フック５３,５４をＺ方向の枠バンド取付位置まで上昇させる。枠バンド一部上昇ステップは、一方側フック５３と他方側フック５４とが略同じＺ方向高さに位置している状態で実行される。Ｚ方向の枠バンド取付位置は、一対のたて枠２１ａ,２１ｂに設けられたねじ孔８８ａ,８８ｂ（図１参照）のＺ方向高さに基づいて判断できる。
【００４９】
枠バンド一部上昇ステップでは、図３に示すように、一方及び他方側コ字状アングル７３,７４の上端が釣合錘１０の下端に到着した後、裏側板７２を釣合錘１０のＸ方向におけるカゴ側とは反対側をＺ方向に上昇させる。
【００５０】
また、図４に示すように、枠バンド一部上昇ステップでは、Ｚ方向上方（鉛直方向上方）に行くにしたがって裏側板７２が釣合錘１０からＸ方向に離れるように裏側板７２が釣合錘１０に対して傾いている状態で、一方及び他方側コ字状アングル７３,７４が吊り上げられる。
【００５１】
バンド吊下用紐状部材５２と釣合錘１０のＸ方向隙間Ｃは、一方及び他方側コ字状アングル７３,７４を取り付け姿勢まで起立させた状態で、一方及び他方側コ字状アングル７３,７４と、バンド吊下用紐状部材５２との間に表側板７１が挿入できる長さとなっている。係る構成は、一方及び他方側フック５３,５４の大きさを調整することによって実行できる。
【００５２】
続いて、他方側板取付ステップを行う。この他方側板取付ステップでは、図５及び図９を参照して、矩形状の表側面及び裏側面を有する他方側板の一例としての表側板７１を、ボルト７７ａ及びナットを用いて一方側コ字状アングル７３に固定すると共に、ボルト７７ｂ及びナットを用いて他方側コ字状アングル７４に固定する。また、表側板７１を、ボルト７７ｃ及び挟み金７５を用いてたて枠２１ａに固定すると共に、ボルト７７ｄ及び挟み金７６を用いてたて枠２１ｂに固定する。係る固定によって、表側板７１、裏側板７２、一方側コ字状アングル７３、他方側コ字状アングル７４、挟み金７５、及び挟み金７６が一体化されると共に、その一体化された構造が、一対のたて枠２１ａ,２１ｂに固定され、その一体化された構造が落下しない状態となる。
【００５３】
上述のように、Ｘ方向隙間Ｃ（図４参照）は、一方及び他方側コ字状アングル７３,７４を取り付け姿勢まで起立させた状態で、一方及び他方側コ字状アングル７３,７４と、バンド吊下用紐状部材５２との間に表側板７１が挿入できる長さになっている。それで、他方側板取付ステップは、裏側板７２が枠バンド取付装置５０で吊られた状態で行うことができ、表側板７１がバンド吊下用紐状部材５２と釣合錘１０とで挟まれて、表側板７１の下方側が、バンド吊下用紐状部材５２と一方及び他方側フック５３,５４で支持された状態で行うことができる。よって、作業員は、他方側板取付ステップを、枠バンド７のいずれの部品も作業員だけで持ち上げることがなく実行でき、表側板７１の取付作業の労力が格段に低減される。
【００５４】
続いて、巻上げ機取り外しステップ、他方側板取付完了ステップ、ガイドシュー取り付けステップを行う。巻上げ機取り外しステップでは、一方及び他方側フック５３,５４を、一方及び他方側コ字状アングル７３,７４から外し、巻上げ機５１のフック４６ａ,４６ｂを上枠２２から外すことによって、枠バンド取付装置５０を釣合錘１０から外す。また、図６に示すように、他方側板取付完了ステップでは、ボルト７７ｅ及びナットを用いて表側板７１を一方側コ字状アングル７３に固定すると共に、ボルト７７ｆ及びナットを用いて表側板７１を他方側コ字状アングル７４に固定する。また、表側板７１を、ボルト７７ｇ及び挟み金７５を用いてたて枠２１ａに固定すると共に、ボルト７７ｈ及び挟み金７６を用いてたて枠２１ｂに固定する。また、ガイドシュー取り付けステップでは、ボルト及びナットを用いて、ガイドシュー５ａ,５ｂを錘枠２の所定位置に取り付ける。
【００５５】
以上が、枠バンド取付装置５０を用いた釣合錘１０に対する枠バンド７の取り付けの概要である。なお、ガイドシュー取り付けステップは、枠バンド取付装置５０で吊り上げられる一方及び他方側コ字状アングル７３,７４の下端が、ガイドシュー５ａ,５ｂの取付位置の上端を越えたときよりも後の如何なるタイミングで行われてもよい。また、他方側板取付完了ステップは、巻上げ機取り外しステップよりも前に行うこともできるが、バンド吊下用紐状部材５２がボルト７７ｅ,ボルト７７ｆ,ボルト７７ｇ,ボルト７７ｈの取り付けの邪魔になる場合があるため、他方側板取付完了ステップは、巻上げ機取り外しステップの後に行った方がよい。また、裏側板７２、一方側コ字状アングル７３、及び他方側コ字状アングル７４を、下側のガイドシュー５ａ,５ｂよりも上側で一体化してもよく、ガイドシュー５ａ,５ｂの取り外しや取り付けを省略してもよい。また、以上の説明では、一方側板が、裏側板７２であり、他方側板が、表側板７１である場合を例に説明を行ったが、一方側板が、表側板であり、他方側板が、裏側板であってもよい。
【００５６】
上記実施形態によれば、巻上げ機５１の取付部４２を釣合錘１０の上枠２２に取り付け、かつ、枠バンド７のＹ方向一方側部分（一方側コ字状アングル７３）を一方側フック５３に係止すると共に、枠バンド７のＹ方向他方側部分（他方側コ字状アングル７４）を他方側フック５４に係止した上で、巻上げ機５１で紐状部材４１を引き上げるだけで、枠バンド７においてＺ方向の一方側に位置する裏側板７２を枠バンド取付高さまで引き上げることができる。そして、枠バンド取付装置５０で裏側板７２が枠バンド取付高さに保持されている状態で表側板７１裏側板７２と一体にできると共に、表側板７１を釣合錘１０に取り付けることができる。したがって、作業員が、重量物である表側板７１及び裏側板７２の両方を空中に保持した状態で枠バンド７を組み立てる必要がないので、作業員が重労働を強いられることがなく、枠バンド７の取り付け作業も安全に行うことができる。
【００５７】
また、巻上げ機５１の紐状部材４１の一端部が、輪状部材５５に固定され、一方側フック５３が、輪状部材５５を通過するバンド吊下用紐状部材５２の一端部に固定されると共に、他方側フック５４が、バンド吊下用紐状部材５２の他端部に固定される。したがって、枠バンド取付装置５０を簡単安価に構成できる。また、巻上げ機５１以外の構造が簡易でコンパクトになるので、枠バンド取付装置５０の運搬も場所を取らずに容易に行うことができる。
【００５８】
更には、巻上げ機５１の取付部４２が釣合錘１０の上枠２２に取り付けられるので、枠バンド取付装置５０を容易にエレベーターに取り付けできる。また、枠バンド一部上昇ステップが行われている間、裏側板７２がＺ方向上方に行くにしたがって裏側板７２か釣合錘１０からＸ方向に離れるように裏側板７２が釣合錘１０に対して傾いている。したがって、枠バンド一部上昇ステップが行われている最中に、裏側板７２が錘片３の接触部９８（図４参照）に引っ掛かることがなく、枠バンド一部上昇ステップを円滑に行うことができる。
【００５９】
尚、本発明は、上記実施形態およびその変形例に限定されるものではなく、本願の特許請求の範囲に記載された事項およびその均等な範囲において種々の改良や変更が可能である。
【００６０】
例えば、上記実施形態では、輪状部材５５を通過するバンド吊下用紐状部材５２の一端部及び他端部に一方及び他方側フック５３,５４を取り付けた。しかし、輪状部材に互いに異なる２本の紐状部材を取り付け、各紐状部材の輪状部材側とは反対側の端部にフックを取り付けてもよい。
【００６１】
また、連結部を、輪状部材５５で構成し、第１バンド取付部材及び第２バンド取付部材を、輪状部材５５を通過するバンド吊下用紐状部材５２で構成する場合について説明した。しかし、連結部を、棒状部で構成し、第１バンド取付部材及び第２バンド取付部材を、互いに異なる紐状部材で構成してもよい。
【００６２】
詳しくは、図７、すなわち、変形例の枠バンド取付装置１５０の正面図に示すように、巻上げ機５１のドラムに巻回される紐状部材４１を、連結部の一例としての棒状部材１５５において中央部の上方側に設けられた円弧状の突出部１５６にくくり付ける構成でもよい。また、棒状部材１５５が、一方向に直線状に延在する本体部１６０と、第１スライド部１６１と、第２スライド部１６２とを含み、本体部１６０がカーテンレール状の構造を有し、第１及び第２スライド部１６１,１６２が、本体部１６０内に設けられる案内通路内をＹ方向にスライド可能に取り付けられてもよい。
【００６３】
また、第１バンド取付部材の一例としての一方側紐状部材１７０を、第１スライド部１６１の円弧状の突出部に取り付け、バンド一方側係止部の一例としての一方側フック５３のワッカ状の係止部を、一方側紐状部材１７０における第１スライド部１６１側とは反対側の端部にくくり付けてもよい。また、第２バンド取付部材の一例としての他方側紐状部材１７１を、第２スライド部１６２の円弧状の突出部に取り付け、バンド他方側係止部の一例としての他方側フック５４のワッカ状の係止部を、他方側紐状部材１７１における第２スライド部１６２側とは反対側の端部にくくり付けてもよい。
【００６４】
変形例の枠バンド取付装置１５０によれば、一方及び他方側紐状部材１７０,１７１を棒状部材１５５によってＹ方向（釣合錘１０の幅方向）に離間させることができ、一方及び他方側紐状部材１７０,１７１をＺ方向（鉛直方向）に対する傾斜が小さい状態でＺ方向下方側に延在させることができる。よって、枠バンド７においてＸ方向（釣合錘１０の厚さ方向）の一方側に位置する一方側部分を安定な状態で吊り上げることができる。
【００６５】
また、棒状部が、直線状に延在する本体部１６０と、第１スライド部１６１と、第２スライド部１６２とを有し、第１スライド部１６１が本体部１６０の延在方向の一方側に本体部１６０に対して上記延在方向にスライド可能に取り付けられ、第２スライド部１６２が本体部１６０の延在方向の他方側に本体部１６０に対して上記延在方向にスライド可能に取り付けられる。したがって、本体部１６０に対する一方及び他方側紐状部材１７０,１７１の延在方向の取り付け位置を適宜変動させることができる。よって、枠バンド取付装置１５０を広範なサイズの釣合錘１０に適用でき、枠バンド取付装置１５０の汎用性を大きくできる。なお、棒状部材に対する一方及び他方側紐状部材の延在方向の取り付け位置が変動できない構成でもよい。また、カッターナイフから突出する刃の長さを調整するストッパ構造と同一の構造で、Ｙ方向の所定間隔毎に、第１及び第２スライド部が安定に配置される箇所が複数存在するようにしてもよい。
【符号の説明】
【００６６】
１  バンド付釣合錘、  ２  錘枠、  ３  錘片、  ７  枠バンド、  １０  釣合錘、  ２２  上枠、  ４１  紐状部材、  ５０  枠バンド取付装置、  ５１  巻上げ機、  ５２  バンド吊下用紐状部材、  ５３  一方側フック、  ５４  他方側フック、  ５５  輪状部材、  ７１  表側板、  ７２  裏側板、  ７３  一方側コ字状アングル、  ７４  他方側コ字状アングル、  １５５  棒状部材、  １６０  本体部、  １６１  第１スライド部、  １６２  第２スライド部、  １７０  一方側紐状部材、  １７１  他方側紐状部材、  Ｘ方向  釣合錘（バンド付釣合錘）の奥行き方向、  Ｙ方向  釣合錘（バンド付釣合錘）の幅方向、  Ｚ方向  釣合錘（バンド付釣合錘）の高さ方向。
【図１】
2018080008.tif 000003
【図２】
2018080008.tif 000004
【図３】
2018080008.tif 000005
【図４】
2018080008.tif 000006
【図５】
2018080008.tif 000007
【図６】
2018080008.tif 000008
【図７】
2018080008.tif 000009
【図８】
2018080008.tif 000010
【図９】
2018080008.tif 000011
【図１０】
2018080008.tif 000012